(57)【特許請求の範囲】
【請求項１】
回転する指針が指標を指示することにより計測値の表示を行う計器であって、
光を放射する光源と、
前記指針の回転方向に沿って並んで表示方向前面に配置され、前記光源からの光を表示方向前側に透過する前記指標を有する文字盤と、
前記文字盤の表示方向前側に配置され、前記計器の外縁を形成する外縁形成部材と、を備え、
前記外縁形成部材は、前記指標を透過した前記光源からの光の一部を入射しかつ入射されなかった光の一部を反射して前記表示方向前面を照らす入射部、前記入射部に入射された光を反射しながら導く導光部、及び前記導光部により導かれた光を表示方向前側に出射する出射部を有し、
前記入射部は、前記外縁形成部材において前記指針の回転方向に沿って延びかつ内周縁から外周側へ向かうほど前記表示方向前面に向かって傾斜する傾斜面に形成されることにより、前記文字盤から離れて前記表示方向前面の前記指標を向く入射面であることを特徴とする計器。
【請求項２】
前記外縁形成部材は、光を透過可能な透光性材料からなる透光性部材と、光を遮光する遮光部材とを有しており、
前記透光性部材は、前記透光性部材の表面において、視認者から視認可能な視認可能面を有しており、
前記遮光部材は、前記視認可能面の一部を覆っており、
前記出射部は、前記視認可能面が前記遮光部材によって覆われた状態において、前記視認可能面の表面が露出する部位よりなっていることを特徴とする請求項１に記載の計器。
【発明の詳細な説明】
【技術分野】
【０００１】
本発明は、回転する指針が、文字盤に設けられている指標を指示することにより計測値の表示を行う計器に関する。
【背景技術】
【０００２】
従来、回転する指針が、文字盤に設けられている目盛を指示することで計測値の表示を行う計器が知られている（特許文献１を参照）。
【０００３】
この計器において目盛は、文字盤の表示方向後側に設けられる光源から放射される光を透過可能となっており、光源からの光により発光表示される。また、この計器は、文字盤の表示方向前側において目盛を透過した光を反射するリング状の外縁形成部材を有する。これにより外縁形成部材は、目盛からの透過光を反射して発光する。これによれば、外縁形成部材を発光させるための光源を有しなくとも、外縁形成部材を発光させることができるので、計器の構造を簡素化することができる。
【先行技術文献】
【特許文献】
【０００４】
【特許文献１】特開２００２−３２３３５３号公報
【発明の概要】
【発明が解決しようとする課題】
【０００５】
しかし、上述したように特許文献１の計器において外縁形成部材は、目盛を透過した光を反射する構造となっているため、透過光が届かない位置、例えば、外縁形成部材の外周側を発光させることができず、外縁形成部材の発光位置が限られる。
【０００６】
本発明は、上述の問題点に鑑みてなされたものであって、その目的は、文字盤の指標を透過した光によって計器の外縁形成部材を発光させることにより、計器の構造を簡素化させるとともに、外縁形成部材の発光位置の自由度を向上させることができる車両用計器を提供することにある。
【課題を解決するための手段】
【０００７】
上記目的を達成するために、請求項１の発明は、回転する指針が指標を指示することにより計測値の表示を行う計器であって、
光を放射する光源と、
指針の回転方向に沿って表示方向前面に並んで配置され、光源からの光を表示方向前側に透過する指標を有する文字盤と、
文字盤の表示方向前側に配置され、計器の外縁を形成する外縁形成部材と、を備え、
外縁形成部材は、指標を透過した光源からの光の一部を入射しかつ入射されなかった光の一部を反射して表示方向前面を照らす入射部、入射部に入射された光を反射しながら導く導光部、及び導光部により導かれた光を表示方向前側に出射する出射部を有し、
入射部は、外縁形成部材において指針の回転方向に沿って延びかつ内周縁から外周側へ向かうほど表示方向前面に向かって傾斜する傾斜面に形成されることにより、文字盤から離れて表示方向前面の指標を向く入射面であることを特徴としている。
【０００８】
この発明によれば、光源からの光は、指標を透過する。これにより、指標はこの透過光により発光表示される。そして、指標の透過光の一部は、外縁形成部材の入射部に入射される。入射部に入射された光は、外縁形成部材の導光部によって反射しながら出射部に導かれる。その後、導光部により導かれた光は、出射部から表示方向前側に向けて出射され、外縁形成部材は発光する。これによれば、指標を発光させるための光源の光を利用して外縁形成部材を発光させることができるので、外縁形成部材を発光させるためだけの光源が必要なくなる。その結果、計器の構造を簡素化することができる。また、このようにして発光する外縁形成部材は、特に導光部によって光を出射部に導くようにしているので、外縁形成部材において指標からの光が届かない部位からも光を出射することが可能である。
また、この発明によれば、入射部は、指針の回転方向に沿って延びかつ内周縁から外周側へ向かうほど文字盤の表面方向前面に向かって傾斜する傾斜面に形成されているので、文字盤の指標を透過した光の入射部への入射量を極力多くすることができる。よって、指標を透過する光が少量である場合でも、外縁形成部材の発光輝度を確保することができる。
さらに、この発明によれば、指標を透過して入射部に入射されなかった光の一部は、入射部としての入射面により反射し、文字盤の表示方向前面を照らすこととなる。これによれば、指標を発光表示させる光源の光によって、外縁形成部材を発光させるだけでなく、文字盤の表示方向前面をも照らすことができるため、文字盤を表示方向前側から照らす光源を別に用意する必要がなく、計器の構造の簡素化に貢献することができる。
【０００９】
請求項２の発明では、外縁形成部材は、光を透過可能な透光性材料からなる透光性部材と、光を遮光する遮光部材とを有しており、透光性部材は、透光性部材の表面において、視認者から視認可能な視認可能面を有しており、遮光部材は、視認可能面の一部を覆っており、出射部は、視認可能面が遮光部材によって覆われた状態において、視認可能面の表面が露出する部位よりなっていることを特徴としている。
【００１０】
この発明によれば、視認可能部位の一部を遮光部材が覆うことにより、当該視認可能面の表面が露出する部位が形成され、それが出射部となっている。このようにして出射部が形成されているので、視認可能面における遮光部材の配置を変更するだけで、出射部の位置を容易に変更することができ、発光位置の自由度を向上させることができる。加えてこの発明によれば、視認可能面に遮光部材を設けない場合に比べ、出射部の面積を小さくすることが可能となる。これによれば、導光部によって導かれた光を、面積が小さくなった出射部に集中させることができる。したがって、指標の透過光の光量が少量であっても、外径形成部材の発光輝度を確保することができる。
【図面の簡単な説明】
【００１３】
【図１】第１実施形態によるコンビネーションメータの正面図である。
【図２】第１実施形態によるコンビネーションメータの電気的構成を示すブロック図である。
【図３】第１実施形態によるコンビネーションメータの部分断面図である。
【発明を実施するための形態】
【００１４】
（第１実施形態）
本発明の好ましい実施形態について、図面に基づいて説明する。図１は、第１実施形態によるコンビネーションメータ１０の正面図である。コンビネーションメータ１０は、車両の車室内に設けられたインストルメントパネル内に収容され、図１に示す正面側を運転席側に向けて配置されている。
【００１５】
コンビネーションメータ１０は、走行用の内燃機関とともに車両に搭載されており、車両に関連する種々の車両情報を表示する。コンビネーションメータ１０は、タコメータ２１、燃料計２２、水温計２３及びスピードメータ２４等から構成される指針表示部２０と、液晶表示部３０とを備えている。
【００１６】
指針表示部２０を構成しているタコメータ２１、燃料計２２、水温計２３及びスピードメータ２４等には、それぞれ指針２１ａ〜２４ａ及び文字盤２１ｂ〜２４ｂが設けられている。指針２１ａ〜２４ａは、文字盤２１ｂ〜２４ｂの表示方向前面に沿って回転する。タコメータ２１及びスピードメータ２４の文字盤２１ｂ，２４ｂには、指針２１ａ，２４ａの回転方向に沿って並んで目盛指標２１ｃ，２４ｃが形成されている。加えて文字盤２１ｂ，２４ｂには、目盛指標２１ｃ，２４ｃの内周側に数字指標２１ｄ，２４ｄが形成されている。さらに目盛指標２１ｃ，２４ｃのさらに外周側には、タコメータ２１及びスピードメータ２４の外縁を形成する外縁形成部材としてのリング部材２１ｅ，２４ｅが設けられている。リング部材２１ｅ，２４ｅは、文字盤２１ｂ，２４ｂの表示方向前面上に配置されている。
【００１７】
一方、燃料計２２及び水温計２３の文字盤２２ｂ，２３ｂには、指針２２ａ，２３ａの回転方向に沿って目盛指標２２ｃ，２３ｃが並んで形成されている。加えて文字盤２２ｂ，２３ｂには、目盛指標２２ｃ，２３ｃの延伸方向の両端に隣接して文字指標２２ｄ，２３ｄが形成されている。
【００１８】
以上の構成によって、指針表示部２０は、指針２１ａ〜２４ａによって目盛指標２１ｃ〜２４ｃ及び数字指標２１ｄ，２４ｄ又は文字指標２２ｄ，２３ｄを指示することにより車両情報を表示する。具体的には、タコメータ２１は、車両に搭載された内燃機関の出力軸の回転速度を示す計測値を表示する。燃料計２２は、車両に搭載され燃料タンクに貯留されている燃料残量を示す計測値を表示する。水温計２３は、車両に搭載された内燃機関を冷却する冷却水の水温を示す計測値を表示する。スピードメータ２４は、車両の走行速度を示す計測値を表示する。
【００１９】
指針表示部２０の文字盤２１ｂ〜２４ｂの目盛指標２１ｃ〜２４ｃ、数字指標２１ｄ，２４ｄ及び文字指標２２ｄ，２３ｄは、電圧の印加によって電気エネルギーを光エネルギーに変換して光を放射する発光ダイオード（ＬＥＤ）２１ｆ〜２４ｆによって発光表示される。また、指針２１ａ〜２４ａは、自発光可能な構成とされており、ＬＥＤ２１ｇ〜２４ｇから放射される光によって発光する。さらに、リング部材２１ｅ，２４ｅは、ＬＥＤ２１ｆ，２４ｆから放射される光によって発光する。
【００２０】
液晶表示部３０は、液晶パネルと液晶パネルを背後から照らすバックライト等から構成され、液晶パネルの表示画面に形成される画像により車両情報を表示する。液晶パネルは、マトリクス状に配列された複数の画素を有するドットマトリクス型の透過型液晶パネルである。液晶パネルは、後述するメータ制御部４０からの制御信号に従って各画素が駆動されることにより、車両情報を画像によって表示する。この液晶表示部３０に表示される画像としては、例えばオドメータ画像、及び平均燃費画像等がある。バックライトは、液晶パネルの表示方向後側に配置され、液晶パネルを表示方向後側から透過照明する。バックライトは、発光ダイオード及び拡散板を有しており、液晶パネルをむらなく照明する。
【００２１】
次に、コンビネーションメータ１０の電気的構成を図２に基づいて説明する。
【００２２】
コンビネーションメータ１０は、メータ制御部４０、ＬＥＤ２１ｆ〜２４ｆ、２１ｇ〜２４ｇ、液晶表示部３０、ステッパモータ２１ｈ〜２４ｈ等により電気的に構成されている。また、コンビネーションメータ１０には、車載ネットワークであるＣｏｎｔｏｒｌ  Ａｒｅａ  Ｎｅｔｗｏｒｋ（ＣＡＮ）９０、外部のバッテリ９１、イグニッションリレー９２及び接地されたアース配線９５が接続されている。
【００２３】
メータ制御部４０は、プログラムによって作動するマイクロコンピュータからなる。メータ制御部４０は、バッテリ９１と常に導通している給電系統と、イグニッションリレー９２を介した給電系統を有し、当該バッテリ９１から電力を供給されている。加えて、メータ制御部４０は、例えばＣＡＮ９０等の車内ネットワークに接続されており、当該ＣＡＮ９０に出力された車両に関する情報、具体的には、車両の走行速度、内燃機関の回転速度、燃料残量、冷却水の水温、燃料消費量、走行距離、及びイグニッションスイッチ９３のＯＮ／ＯＦＦ状態等の情報を取得する。
【００２４】
また、メータ制御部４０は、ＬＥＤ２１ｆ〜２４ｆ、２１ｇ〜２４ｇ、液晶表示部３０、ステッパモータ２１ｈ〜２４ｈ等に電気的に接続されている。メータ制御部４０は、取得した車両の走行速度、内燃機関の回転速度、燃料残量、及び冷却水の水温に関する情報に基づいて、指針２１ａ〜２４ａの指針軸が回転すべき回転方向、回転角度、回転速度を算出し、算出結果に対応したパルス電力をステッパモータ２１ｈ〜２４ｈに出力する。加えてメータ制御部４０は、イグニッションスイッチ９３のＯＮ／ＯＦＦ状態等の情報に基づいて、ＬＥＤ２１ｆ〜２４ｆ、２１ｇ〜２４ｇへの電圧の印加を制御する。さらにメータ制御部４０は、車両の走行距離及び内燃機関の燃料消費量によって平均燃費の算出と、累計の走行距離を算出とを行う。これらの算出値に応じた制御信号を液晶パネルへ出力する。
【００２５】
ＣＡＮ９０上には、電力供給制御回路９４が設けられている。電力供給制御回路９４は、バッテリ９１、イグニッションスイッチ９３、イグニッションリレー９２、及びエンジン制御回路（図示しない）等と接続されている。電力供給制御回路９４は、バッテリ９１から電力を供給されており、運転者によるイグニッションスイッチ９３の押圧操作を検知して、イグニッションリレー９２に電圧を印加して、当該リレー９２を通電状態にする。また、電力供給制御回路９４は、検知した運転者によるイグニッションスイッチ９３の押圧操作に基づいて、車両のイグニッションのＯＮ／ＯＦＦ状態に関する情報をＣＡＮ９０上に出力する。
【００２６】
以上の構成によれば、運転者によるイグニッションスイッチ９３の操作が行われると、電力供給制御回路９４が、車両のイグニッションの状態をＯＮにする。このとき電力供給制御回路９４は、イグニッションリレー９２に電圧を印加して、バッテリ９１とメータ制御部４０とを導通させる。同時に、車両のイグニッションの状態がＯＮであるという情報をＣＡＮ９０上に出力する。メータ制御部４０は、車両のイグニッションの状態がＯＮであるという情報を取得した後、ＣＡＮ９０を通じて車両に関する情報の取得を開始する。メータ制御部４０は、これらＣＡＮ９０から取得した情報に基づいて、接続されたＬＥＤ２１ｆ〜２４ｆ、２１ｇ〜２４ｇの点灯、バックライトの点灯、液晶パネルによる画像表示、ステッパモータ２１ｈ〜２４ｈの回転、を行う。以上説明したＬＥＤ２１ｆ〜２４ｆ、２１ｇ〜２４ｇ、液晶表示部３０、ステッパモータ２１ｈ〜２４ｈの作動によれば、コンビネーションメータ１０は、車両各部で計測された計測値の表示を開始する。
【００２７】
また、イグニッションスイッチ９３の操作が運転者によって再び行われると、電力供給制御回路９４が、車両のイグニッションの状態をＯＦＦにする。このとき電力供給制御回路９４は、イグニッションリレー９２への電圧の印加を中止して、バッテリ９１とメータ制御部４０との導通を停止させる。同時に、車両のイグニッションの状態がＯＦＦであるという情報をＣＡＮ９０上に出力する。メータ制御部４０は、車両のイグニッションの状態がＯＦＦであるという情報を取得した後、ＬＥＤ２１ｆ〜２４ｆ、２１ｇ〜２４ｇへの電圧の印加を中止し、ステッパモータ２１ｈ〜２４ｈへ指針軸が帰零するようなパルス電力を出力し、さらに液晶表示部３０のバックライトへの電圧の印加を中止し、液晶表示部３０の液晶パネルへの制御信号の出力を停止する。このメータ制御部４０の作動によって、ＬＥＤ２１ｆ〜２４ｆ、２１ｇ〜２４ｇは光の放射を停止し、ステッパモータ２１ｈ〜２４ｈは指針軸を帰零させ、さらに液晶表示部３０のバックライトは光の放射を停止し、液晶パネルは画像の表示を停止する。以上説明したＬＥＤ２１ｆ〜２４ｆ、２１ｇ〜２４ｇ、液晶表示部３０、ステッパモータ２１ｈ〜２４ｈの作動によれば、コンビネーションメータ１０は、計測値の表示を停止する。
【００２８】
（特徴部分）
以下、本発明の第１実施形態によるコンビネーションメータ１０の特徴部分について詳細に説明する。図３は、コンビネーションメータ１０の部分的な断面を示している。具体的に、図３は、図１に示すスピードメータ２４部分の断面を示している。
【００２９】
コンビネーションメータ１０は、文字盤２４ｂを有する。文字盤２４ｂは、例えば光を透過可能な透光性材料からなる透光性基板に遮光性を有する遮光印刷層を積層してなっている。透光性材料としては、ポリカーボネート或いはアクリルが使用可能である。透光性材料としては先に挙げた樹脂に限らなくともよく、光に対する高い透過性を有していればよい。文字盤２４ｂに設けられる目盛指標２４ｃ及び数字指標２４ｄは、透光性基板の表面に積層された遮光印刷層によって形成される。具体的には、遮光印刷層は、目盛指標２４ｃ及び数字指標２４ｄの部分を除いて、透光性基板に積層される。これにより、目盛指標２４ｃ及び数字指標２４ｄを光が透過し、目盛指標２４ｃ及び数字指標２４ｄが発光表示される。
【００３０】
文字盤２４ｂの表示方向後側には、回路基板５０が配置されている。回路基板５０は、例えば紙フェノール系又はガラスエポキシ系等の硬質の基板からなり、両面に所定の銅箔材料からなる配線パターン（図示せず）が形成されている。回路基板５０には、目盛指標２４ｃ及び数字指標２４ｄを発光表示させる複数のＬＥＤ２４ｆが実装されている。ＬＥＤ２４ｆは、目盛指標２４ｃ及び数字指標２４ｄよりも内周側に実装されている。
【００３１】
文字盤２４ｂと回路基板５０との間には、ＬＥＤ２４ｆから放射された光を目盛指標２４ｃ及び数字指標２４ｄに導く導光体５１が配置されている。導光体５１は、例えば光を透過可能なアクリル等からなっている。導光体５１は、ＬＥＤ２４ｆからの光を入射する入射部５２と、入射部５２に入射された光を反射させながら出射部５４まで導く導光部５３と、導光部５３によって導かれた光を目盛指標２４ｃ及び数字指標２４ｄに向けて出射する出射部５４とを有する。
【００３２】
導光体５１の外周側には、導光体５１の表示方向後側を覆うケース５５が配置されている。ケース５５は、例えばポリプロピレン等の白色の樹脂材料からなっており、ＬＥＤ２４ｆから放射される光がスピードメータ２４の外側に漏れるのを防止するものである。ケース５５は、図示しない部分で回路基板５０に固定されている。
【００３３】
文字盤２４ｂの表示方向前面において、目盛指標２４ｃの外周側に円環状のリング部材２４ｅが配置されている。リング部材２４ｅは、光を透過可能な透光性材料からなる円環状の透光性リング６０と、透光性リング６０の表面の一部に設けられた光を遮光する遮光層６７とを有する。透光性リング６０は、ポリカーボネート或いはアクリルからなっている。透光性リング６０として使用する材料は、先に挙げた樹脂に限らなくともよく、光に対する高い透過性を有し、透光性リング６０内部を光が反射しながら進行するようなものであればよい。
【００３４】
透光性リング６０は、当接面６４と、入射面６１と、導光部６２と、出射面６３とを有する。当接面６４は、文字盤２４ｂの表示方向前面に当接する面であり、当接面６４が当該表示方向前面と当接することにより、リング部材２４ｅが文字盤２４ｂに対して固定される。入射面６１は、主に目盛指標２４ｃを透過したＬＥＤ２４ｆからの光の一部を入射し、入射されなかった光の一部を反射する面であり、文字盤２４ｂの表示方向前面から離れて配置されている。また、入射面６１は、指針２４ａの回転方向に沿って延び、かつ表面が内周縁から外周側へ向かうほど文字盤２４ｂの表示方向前面に向かって傾斜する帯状の傾斜面６６に形成されている。つまり、入射面６１と文字盤２４ｂの表示方向前面とのなす角度は、鋭角となっている。このような入射面６１の構成により、目標指標２４ｃの透過光は、入射面６１に入射されるとともに、反射する。入射面６１で反射した光は、文字盤２４ｂの表示方向前面の一部を照らす。
【００３５】
導光部６２は、入射面６１から入射した光を反射しながら出射面６３にまで導く部位である。出射面６３は、リング部材２４ｅの表面において、当接面６４と入射面とを除く表面によって形成されている。導光部６２を反射しながら進行した光は、出射面６３より放射される。
【００３６】
ここで、透光性リング６０の表面には、遮光性を有する遮光層６７が設けられている。遮光層６７は、少なくとも透光性リング６０の表面において当接面６４及び入射面６１を除く視認可能面６５の一部を覆っている。このように視認可能面６５の一部を遮光層６７が覆うことにより、遮光層６７が覆われた部位からは光が放射されず、遮光層６７が覆われていない部位、つまり視認可能面６５の露出する部位から光が放射される。この視認可能面６５の露出する部位が、出射面６３となる。出射面６３から光が表示方向前側に放射されることにより、リング部材２４ｅが発光表示される。なお、本実施形態において、出射面６３は、遮光層６７となる遮光性を有する塗料を少なくとも視認可能面６５全体に塗布した後、出射面６３となる部位の塗料をレーザトリミングによりトリミングすることにより形成される。この説明では、遮光層６７として遮光性を有する塗料としたが、遮光層６７は遮光性を有するものであれば金属であってもよい。金属を遮光層６７として使用する場合は、視認可能面６５の表面に金属をメッキ又は蒸着し、その後、出射面６３となる部位の金属メッキをトリミングすればよい。
【００３７】
次に、上述した構成を有するリング部材２４ｅを有するスピードメータ２４における目盛指標２４ｃ、数字指標２４ｄ及びリング部材２４ｅの発光について説明する。ＬＥＤ２４ｆから放射される光は、導光体５１の入射部５２より入射される。導光体５１の導光部５３は、入射部５２より入射された光を反射しながら出射部５４まで導く。そして、出射部５４は、目盛指標２４ｃ及び数字指標２４ｄに向けて光を放射する。出射部５４より放射されて光は、目盛指標２４ｃ及び数字指標２４ｄを透過する。これにより、目盛指標２４ｃ及び数字指標２４ｄは、発光表示される。
【００３８】
そして、目盛指標２４ｃ及び数字指標２４ｄを透過した透過光は、文字盤２４ｂの表示方向前側に放射され、リング部材２４ｅの入射面６１に至る。入射面６１は、指標２４ｃ，２４ｄの透過光の一部を内部に入射するとともに、反射する。入射面６１より入射された光は、導光部６２を反射しながら進行する。導光部６２を進行する光は、出射面６３に集光される。出射面６３に集光した光は、出射面６３より表示方向前側に向けて光を放射する。これにより、ユーザはリング部材２４ｅが発光していると視認する。
【００３９】
一方、入射面６１により反射された光は、文字盤２４ｂの表示方向前面を照らす。これにより、文字盤２４ｂにおいて目盛指標２４ｃの周辺が入射面６１の反射光により明るくなる。なお、この反射光は、目盛指標２４ｃの透過光よりも光量が少ないので、文字盤２４ｂが反射光により照らされたとしても、ユーザは目盛指標２４ｃを視認することができる。
【００４０】
以上のような構造を採用することによれば、目盛指標２４ｃ及び数字指標２４ｄを発光させるためのＬＥＤ２４ｆの光を利用してリング部材２４ｅを発光させることができる。この構造によれば、リング部材２４ｅを発光させるためだけのＬＥＤ（光源）が必要なくなる。その結果、コンビネーションメータ１０の構造を簡素化することができる。
【００４１】
また、このコンビネーションメータ１０においてリング部材２４ｅは、特に導光部６２によって光を出射面６３に導くようにしているので、目盛指標２４ｃ及び数字指標２４ｄから放射された光が届かない部位、例えばリング部材２４ｅの外周側の部位からも光を出射させることができ、リング部材２４ｅの発光位置の自由度が向上する。
【００４２】
特に、このリング部材２４ｅにおいて、出射面６３は、上述したように遮光層６７によって覆われた視認可能面６５のうち、視認可能面６５の表面が露出する部位よりなっている。このようにして形成された出射面６３によれば、遮光層６７の配置を変更するだけで、リング部材２４ｅにおける出射面６３の位置を容易に変更することができ、発光位置の自由度を向上させることができる。加えてこういった構成を有するリング部材２４ｅによれば、視認可能面６５に遮光層６７を設けず、当該面６５全面を出射面６３とする場合に比べ、出射面６３の面積を小さくすることができる。これによれば、導光部６２によって導かれた光を面積が小さくなった出射面６３に集中させることができる。したがって、目盛指標２４ｃの透過光の光量が少量であっても、リング部材２４ｅの発光輝度を確保することができる。
【００４３】
さらに、このリング部材２４ｅの入射面６１は、文字盤２４ｂの表示方向前面に向かって傾斜する傾斜面６６に形成されているので、文字盤（）の目盛指標２４ｃ及び数字指標２４ｄを透過した光の入射面６１への入射量を極力多くすることができる。よって、目盛指標２４ｃ及び数字指標２４ｄを透過する光が少量である場合でも、リング部材２４ｅの発光輝度を確保することができる。
【００４４】
また、リング部材２４ｅの入射面６１は、文字盤２４ｂの表示方向全面を向く面となっており、目盛指標２４ｃ及び数字指標２４ｄの透過光の一部を反射するようになっている。このように構成されている入射面６１によれば、目盛指標２４ｃ及び数字指標２４ｄを発光表示させるＬＥＤ２４ｆの光によって、リング部材２４ｅを発光させるだけでなく、文字盤２４ｂをも照らすことができる。このため、文字盤２４ｂを表示方向前側から照らすＬＥＤ（光源）を別に用意する必要がなく、コンビネーションメータ１０の構造の簡素化に貢献することができる。
【００４５】
また、この実施形態のリング部材２４ｅは、導光部６２により出射面６３まで光を導き、出射面６３から光を放射することにより発光する構造となっているため、リング部材の表面で目盛指標２４ｃ及び数字指標２４ｄの透過光を反射させることでリング部材を発光させるものとは異なり、リング部材２４ｅの表面形状の制約がない。このため、リング部材２４ｅの表面形状の設計自由度が向上する。
【００４６】
なお、本実施形態では、文字盤２４ｂにおいて、透光性リング６０の当接面６４が当接する部位は、遮光印刷層が設けられているため、文字盤２４ｂの表示方向後側にあるＬＥＤ２４ｆからの光は当接面６４に入射されないようになっているが、当接面６４に当接する部位の遮光印刷層を除去してもよい。このようにすれば、当接面６４からもＬＥＤ２４ｆからの光をリング部材２４ｅに入射させることができる。このようにすれば、目盛指標２４ｃ及び数字指標２４ｄの透過光だけでなく、当接面６４からも光を入射させることができるため、リング部材２４ｅの発光輝度を確保することができる。
【００４７】
なお、以上において、目盛指標２４ｃ及び数字指標２４ｄが特許請求の範囲に記載の「指標」に相当し、リング部材２１ｅ，２４ｅが「外縁形成部材」に相当する。また、入射面６１が特許請求の範囲に記載の「入射部」に相当し、導光部６２が特許請求の範囲に記載の「導光部」に相当し、出射面６３が特許請求の範囲に記載の「出射部」に相当する。さらに、透光性リング６０が特許請求の範囲に記載の「透光性部材」に相当し、遮光層６７が特許請求の範囲に記載の「遮光部材」に相当する。
【００４８】
（その他の実施形態）
以上、本発明の一実施形態について説明したが、本発明は、当該実施形態に限定して解釈されるものではなく、その要旨を逸脱しない範囲内において種々の実施形態に適用することができる。
【００４９】
先の実施形態においてリング部材２４ｅは、透光性リング６０の表面に出射面６３の面積を狭めるとともに、出射面６３の位置を変更する遮光層６７が設けられていたが、この遮光性リング６０を設けずに、視認可能面６５全てを出射面６３としてもよい。この場合であっても、目盛指標２４ｃ及び数字指標２４ｄからの光が届かない部位を発光させることができる。また、上述したリング部材２４ｅの形状は円環状となっているが、これに限らない、円弧状のものであっても同様の効果を得ることができる。
【符号の説明】
【００５０】
１０  コンビネーションメータ、２０  指針表示部、２１  タコメータ、２２  燃料計、２３  水温計、２４  スピードメータ、２１ａ〜２４ａ  指針、２１ｂ〜２４ｂ  文字盤、２１ｃ〜２４ｃ  目盛指標、２１ｄ，２４ｄ  数字指標、２２ｄ，２３ｄ  文字指標、２１ｅ，２４ｅ  リング部材（外縁形成部材）、２１ｆ〜２４ｆ  ＬＥＤ（光源）、２１ｇ〜２４ｇ  ＬＥＤ、２１ｈ〜２４ｈ  ステッパモータ、３０  液晶表示部、４０  メータ制御部、５０  回路基板、５１  導光体、５５  ケース、６０  透光性リング（透光性部材）、６１  入射面（入射部）、６２  導光部（導光部）、６３  出射面（出射部）、６４  当接面、６５  視認可能面、６６  傾斜面、６７  遮光層（遮光部材）、９０  ＣＡＮ、９１  バッテリ、９２  イグニッションリレー、９３  イグニッションスイッチ、９４  電力供給制御回路、９５  アース配線
【図１】
0005594245.tif 000002
【図２】
0005594245.tif 000003
【図３】
0005594245.tif 000004